(57)【要約】【課題】チルト機構を備えずとも、反りのあるディスクに対しても、精度よく記録再生できる円盤状記録媒体駆動装置を提供することを目的とする。【解決手段】クランパ１２とターンテーブル１１とでディスク０を回転自在に挟持する円盤状記録媒体駆動装置において、クランパ１２がディスク０を押圧する中央ターンテーブル１１ａと、ディスク０の外周を載置する大ターンテーブル部１１ｂとを備え、大ターンテーブル部１１ｂを支持する複数のスポーク１１ｃが中央ターンテーブル１１ａから放射状に構成されたターンテーブル１１を備える。ディスク０がターンテーブル１１側に沿った場合、中央ターンテーブル１１ａとクランパ１２との押圧力がディスク０の外周と大ターンテーブル部１１ｂとの間でも作用するため、ディスク０の反りを抑制できる。【選択図】図６
2004303411.tif 000002
【特許請求の範囲】
【請求項１】
回転駆動するターンテーブル上に載置された円盤状記録媒体を回転自在に支持されたクランパとで狭持する円盤状記録媒体駆動装置であって、前記ターンテーブルは、前記円盤状記録媒体の内縁近傍を前記クランパと共に狭持する中央ターンテーブル部と、前記円盤状記録媒体の外周と当接する大ターンテーブル部と、前記中央ターンテーブル部の前記円盤状記録媒体の載置面と前記大ターンテーブル部の前記円盤状記録媒体の載置面とはほぼ同じ高さとなるように、前記中央ターンテーブル部から前記大ターンテーブル部を支持するスポークとを備えたことを特徴とする円盤状記録媒体駆動装置。
【請求項２】
円盤状記録媒体に光ビームを照射するピックアップと、前記ピックアップを制御するピックアップ制御手段と、ターンテーブルの回転を制御し、回転の位置を表す回転位置信号を出力するターンテーブル回転手段と、前記ターンテーブルの回転位置信号を入力して回転位相から前記ピックアップ制御手段にピックアップのフォーカス制御を中断するよう指令する制御手段とを備え、前記中央ターンテーブル部から前記大ターンテーブル部を支持するスポークは、前記ピックアップから前記円盤状記録媒体に照射する光ビームを遮断する位置に配置することを特徴とする請求項１記載の円盤状記録媒体駆動装置。
【発明の詳細な説明】
【技術分野】
【０００１】
本発明は、情報を記録あるいは再生するために、光ディスク（ＣＤ、ＤＶＤ等）や光磁気ディスクのような円盤状記録媒体（以下、単にディスクと略す）を回転し光ビームを照射する円盤状記録媒体駆動装置に関する。
【背景技術】
【０００２】
近年、ＣＤ、ＤＶＤ等のディスクが情報記録媒体として注目され、高密度大容量のものが開発されると共に、その生産コストの低廉さから、世界各国で生産されようとしている。このようなディスクを回転して情報を記録あるいは再生する円盤状記録媒体駆動装置も種々提案されている。以下に従来の円盤状記録媒体駆動装置について説明する。
【０００３】
図９は従来の円盤状記録媒体駆動装置の構成概略図を示すものである。周知のように、図９において、ディスク０はその中央近傍部０ａをターンテーブル１０１上に載置され、かつターンテーブル１０１と同程度の径のクランパ１０２によって挟まれることで固定される。この場合、ターンテーブル１０１とクランパ１０２によって挟んで固定する、主要な方法として、以下の方法がある。
【０００４】
一つは、いわゆるポータブルＣＤ機のようにクランパ１０２がポータブル機筐体のディスク蓋に回転自在に構成され、ディスク蓋の閉蓋によってクランパ１０２が移動しターンテーブル１０１に押圧してディスクを固定するものである。
【０００５】
もう一つは、いわゆるトレイ方式の据置機によくある形態で、トレイによってターンテーブル１０１上に移動されたディスク０を、ターンテーブル１０１が移動してトレイから持ち上げ、回転自在なクランパ１０２に押しつけディスク０を固定するものである。
【０００６】
あとひとつは、カーステレオ等のＣＤプレーヤによく使われているような、いわゆるスロットイン方式のもので、周知のように使用者によってスロット（幅の狭い溝穴）に挿入されたディスクをゴム状ローラ等でターンテーブル１０１上に移動させた後、ターンテーブル１０１あるいは回転自在なクランパ１０２が移動してディスク０を狭持するものである。
【０００７】
この場合、周知のように、ディスクの芯出しの手段として、ターンテーブル１０１のディスク載置面にテーパ部（図示せず）が設けられており、これによってディスク０の内周端部を芯出しして狭持される。
【０００８】
さて、上述のようにディスク０をターンテーブル１０１とクランパ１０２で狭持した円盤状記録媒体駆動装置は、ターンテーブル１０１の回転によって、ディスク０も回転させ、かつディスク０の径方向（図示矢印Ｒ方向）に移動するピックアップ１０３から光ビームＬを照射する。このように照射された光ビームＬによってディスク０に情報が記録され、あるいはディスク０からの反射によってディスク０に記録された情報が再生される。
【０００９】
この際、情報を高密度に記録しあるいは再生するためにはディスク０上に精度良く光ビームを照射させ、かつ反射した光ビームを精度良く受光しなければならないので、ディスクの面（より詳細に述べるとディスク内面の情報面）に光ビームの焦点を合わせる光ビームのフォーカス制御と共に、ディスクの面と光ビームとの角度は厳しく規制しなければならない。
【００１０】
そのため、図１０の概略側面図に示すように、反り、返り、撓みが生じたディスクに対しても記録・再生が行えるように、従来の円盤状記録媒体駆動装置は、上述したフォーカス制御を施すと共に、ディスクの面と光ビームとの角度を規制値内にするために、光ビームを照射するピックアップ１０３を図示の矢印Ｃの様に傾ける、いわゆるチルト制御を行っているものもある。
【００１１】
また面振れを防止する技術としては、例えば、特許文献１に遠心力によりディスクの外周を位置決めするホルダーが知られている。
【特許文献１】実開昭５７−１８９１９２号公報（実願昭５６−７７１９４号のマイクロフィルム）
【発明の開示】
【発明が解決しようとする課題】
【００１２】
しかしながら上記の従来の構成では、ディスクのトラック上に正確に光ビームを照射させかつトラックに追従させるため光ビームを照射するピックアップは、ディスクの径方向に精度良く移動させる機構と共に、ピックアップをディスクの反りに追従させて傾けるチルト機構をも備えねばならず、従来の円盤状記録媒体駆動装置は機構が複雑になり、小型にすることが難しいという問題点を有していた。
【００１３】
また、特許文献１では、遠心力によりディスク外周に開くホルダーを備える構成のため、ディスク中央部をクランパで押圧しても遠心力で開いたホルダは押圧力に追従し、ディスクの反りを低減することはできない。
【００１４】
本発明は上記従来の問題点を解決するもので、チルト機構を備えずとも、反りのあるディスクに対しても、精度良く記録再生できる円盤状記録媒体駆動装置を提供することを目的とする。
【課題を解決するための手段】
【００１５】
この目的を達成するために本発明の円盤状記録媒体駆動装置は、回転駆動するターンテーブル上に載置された円盤状記録媒体を回転自在に支持されたクランパとで狭持する円盤状記録媒体駆動装置であって、前記ターンテーブルは、前記円盤状記録媒体の内縁近傍を前記クランパと共に狭持する中央ターンテーブル部と、前記円盤状記録媒体の外周と当接する大ターンテーブル部と、前記中央ターンテーブル部の前記円盤状記録媒体の載置面と前記大ターンテーブル部の前記円盤状記録媒体の載置面とはほぼ同じ高さとなるように、前記中央ターンテーブル部から前記大ターンテーブル部を支持するスポークとを備える。
【発明の効果】
【００１６】
以上のように本発明によれば、反りのある円盤状記録媒体を情報の記録されていない外周近傍を当接し押圧することにより、その反りを矯正し、ディスクの情報記録面と情報を記録再生するため照射される光ビームとの角度を一定値内に押さえ込み、情報を正確に読みとり精度良く記録再生できるという優れた効果が得られる。
【発明を実施するための最良の形態】
【００１７】
請求項１に記載の発明は、回転駆動するターンテーブル上に載置された円盤状記録媒体を回転自在に支持されたクランパとで狭持する円盤状記録媒体駆動装置であって、ターンテーブルは、円盤状記録媒体の内縁近傍をクランパと共に狭持する中央ターンテーブル部と、円盤状記録媒体の外周と当接する大ターンテーブル部を備え、前記中央ターンテーブル部の前記円盤状記録媒体の載置面と前記大ターンテーブル部の前記円盤状記録媒体の載置面とはほぼ同じ高さとなるように、前記中央ターンテーブル部から前記大ターンテーブル部を支持するスポークとを備えたことを特徴としたものであり、ターンテーブル側に反った円盤状記録媒体を情報の記録されていない外周近傍を当接し押圧することにより、その反りを矯正し、ディスクの情報記録面と情報を記録再生するため照射される光ビームとの角度を一定値内に押さえ込み、情報を正確に読みとり精度良く記録再生できるという作用を有する。特に、ターンテーブルは、中央ターンテーブル部から大ターンテーブル部を支持するスポークを備えるため、ディスク上の光学情報を読みとる光ビームがディスクに全く照射されないことを防ぎ、光学情報が部分的にでも読みとることができるという作用を有する。特に、請求項２では、円盤状記録媒体に光ビームを照射するピックアップと、ピックアップを制御するピックアップ制御手段と、ターンテーブルの回転を制御し、回転の位置を表す回転位置信号を出力するターンテーブル回転手段と、ターンテーブルの回転位置信号を入力して回転位相からピックアップ制御手段にピックアップのフォーカス制御を中断するよう指令する制御手段とを備え、中央ターンテーブル部から大ターンテーブル部を支持するスポークは、前記ピックアップから前記円盤状記録媒体に照射する光ビームを遮断する位置に配置する構成を備えたもので、大ターンテーブルを支持するスポークによる光ビーム遮断による影響を取り除き、安定な再生ができるものである。
【００１８】
以下、本発明の一実施の形態について、図面を用いて説明する。図１は本発明の円盤状記録媒体駆動装置の本実施の形態の構成概略を示すもので、同図（ａ）はクランパ（後述）の構成斜視図で、（ｂ）は部分断面側面図である。図１において、２はクランパで、ディスク０の内縁近傍をターンテーブル１と共に挟んで固定する中央クランパ部２ａと、ディスク０の外縁近傍０ｂと略同径でかつ中央クランパ部２ａと略同じ高さの大クランパ部２ｂとを全周に構成している。クランパ２の中央クランパ部２ａと大クランパ部２ｂとの間は、ディスク０に接しないように、凹部２ｃが全周にわたって構成されている。それ以外の、自身の回転によりディスク０を回転させるターンテーブル１、ディスク０に光ビームＬを照射するピックアップ３は従来のものと同様なものである。
【００１９】
以上のように構成された円盤状記録媒体駆動装置について、その模式側段面図（断面を表すハッチング記載は略す）である図２を用いてその動作を説明する。従来のものと同様に、ターンテーブル１上にディスク０が載置され、次にクランパ２が装着される。この時、クランパ２の中央クランパ部２ａがターンテーブル１と共にディスク０の内縁近傍０ａを挟んで固定し、かつ大クランパ部２ｂがディスク０の外縁に接する。
【００２０】
図２に示すように、ディスク０の外縁側が光ビームの照射する面と逆の方向（いわゆるレーベル面の方向）に向かって反っている場合（同図（ａ））、同図（ｂ）のようにディスク０はその外周部がクランパ２の大クランパ部２ｂに当設した後に、中央クランパ２ａがディスク０を押圧してターンテーブル１に挟んで固定する。この狭持により反っているディスク０の外縁部０ｂは、元の反りの逆の方向に押圧されるので、反りは直される。場合により、同図（ｃ）のように、ディスクの中径部（すなわち、内縁部近傍０ａと外縁部近傍０ｂに挟まれた部分）０ｃが元の反りの方向に反ったままの場合もあるが、そのような場合でもその中径部０ｃに対向する部分はクランパ２の凹部２ｃであるので、ディスク０がクランパ２の凹部２ｃに接することはない。
【００２１】
このようにディスク０の反りがレーベル面方向に生じている場合でも、大クランパ２ｂを有するクランパ２の装着によりその反りが小さくでき、ピックアップ３の光ビームとディスク面との角度が上述した規制値内に入り、チルト機能のないピックアップでも精度のよい記録・再生を行うことができる。
【００２２】
我々は、この実施の形態の実験を行い、この効果を検証した。図３にその実験結果を示す。図３（ａ）はクランパの中央クランパと大クランパの高さ位置が略同じもの、同図（ｂ）は大クランパの方が中央クランパより高さが突出しているもののディスクの反りを示したもので、横軸がディスク中心からの径方向距離、縦軸が反りの大きさを示している。両図とも、破線で示した大クランパによる押圧がない状態に対して、その反りが矯正され、反りの規制値範囲内に収まっているが、大クランパが中央クランパより突出している（ｂ）の方がその反りが小さいことが判る。
【００２３】
以上のように本実施の形態によれば、ディスクのレーベル面からその外周を押圧するクランパを設けることで、ディスクの反りを少なくし、安定した再生駆動をすることができる。
【００２４】
次に、上述した実施の形態を応用した円盤状記録媒体駆動装置の他の実施の形態を、図４に示すブロック構成図を用いて説明する。図４において、ターンテーブル１、クランパ２、ピックアップ３は上述した実施の形態のものと同様なもので、ターンテーブル１、クランパ２でディスク０を狭持し、ピックアップ３から光ビームＬが照射される。４はピックアップ３を制御するピック制御手段で、ピックアップのトラック方向移動（いわゆるトラックジャンプ）、トラッキング、フォーカス制御を行うものである。５はピック読み取り手段で、ピックアップ３によって検出されたディスク０の光学情報を復調するものである。６はターンテーブル回転手段で、後述する制御手段８の指令に基づいてターンテーブル１を回すことで狭持したディスク０を回転させるものである。７は押圧手段で、クランパ２を回動自在に保持しつつ、制御手段の指令によりクランパ２をターンテーブル１に押圧しかつその押しつける押圧力を変動できるものである。８は制御手段で、ピック制御手段４、ターンテーブル回転手段６、押圧手段７を制御するもので、特にピック読み取り手段の出力信号を入力し、その信号からディスク０の面振れ量を検知してそれに応じて押圧手段７に押圧量を制御するように指令するものである。
【００２５】
このように構成された円盤状記録媒体駆動装置の本実施の形態について以下その動作を説明する。図５はその動作を示すフローチャートである。図４，図５において、まずディスク０がターンテーブル１上に載置されクランパ２によって狭持されると、制御手段８はターンテーブル回転手段６に指令を出しターンテーブル１を回転させる。次に、ピックアップ３が、従来行われるような内周側のインデックスデータ検出（ＣＤのＴＯＣ情報、ＤＶＤのリードイン情報の検出）を行う前に、ピックアップ制御手段４によりディスク０の外周側に移動し（図５のステップＳ１）外周側に光ビームを照射する（同Ｓ２）。この外周側への光ビーム照射によるピック読み出し手段５からの出力を入力して、制御手段８はそのジッタ量を検出することで、ディスク０の外周側の面振れ量を検知し（同Ｓ３）、面振れ量があらかじめ設定された規定値との大小関係を判断して（同Ｓ４）、規定値より大の場合、より面振れ量を小さくするように押圧手段７に押圧力を高めるよう指令する（同Ｓ５）。面振れ量が小さくなると、制御手段８はピック制御手段にピックアップを内周側に移動するよう指令し（同Ｓ６）通常の再生動作を行う（同Ｓ７）。
【００２６】
なお、本実施の形態では、面振れ量を検出するのに、ピックアップ３からの出力によるジッターから検出するものを説明したが、例えば、ピック制御手段４でのピックアップ３のフォーカス制御の制御信号から検出してもよい。
【００２７】
なお、押圧手段７として、モータの回転及びギヤ列等の回転力伝達手段によりネジを大トルクで回転させ、クランパ側のラックがそのネジに噛み合わせて、押圧させ、モータの回転方向により押圧を加圧させたり減圧させたりする方法がある。また、別の手段として、回転するクランパ側に永久磁石を、固定された装置側に電磁石となるステータコイルをそれぞれ配置し、ステータコイルに流す電流を増減させることで、クランパ側永久磁石を移動させ押圧させることもできる。
【００２８】
以上のように、本実施の形態によれば、ディスクの反りをその回転による面振れから検出し、それをもとにクランパの押圧力を増減することができ、より安定な再生駆動をすることができる。
【００２９】
図６は、本発明の円盤状記録媒体駆動装置の別の実施の形態の斜視構成概略図で、図７は模式側・段面図（図２と同様、ハッチングは略す）である。図６において、１１はターンテーブルで、図１を参照した実施の形態で説明したようなターンテーブル１と同様な大きさの径の中央ターンテーブル部１１ａと、それと同芯円状でディスク外径と略同じ径でありかつ幅が２ｍｍ程度の大テーブル部１１ｂと、大テーブル部１１ｂを支持するために中央ターンテーブル部１１ａから放射状に構成された複数の枝状のスポーク１１ｃとを有する。中央ターンテーブル部１１ａと大ターンテーブル部１１ｂとの各ディスク載置面はほぼ同じ高さであり、スポーク１１ｃは上述の各載置面より奥まった位置に構成されて両ターンテーブル部を固定している。１２はクランパで、従来の技術で説明したような中央ターンテーブル１１ａと略同径のものであり、中央ターンテーブル１１ａとクランパ１２とでディスク０を狭持して固定する。
【００３０】
以上のように構成された円盤状記録媒体駆動装置について、図６，図７を用いてその動作を説明する。図１を参照して説明した実施の形態のものと同様に、ターンテーブル１１上にディスク０が載置され、次にクランパ１２が装着される。この時、ターンテーブル１１の中央ターンテーブル部１１ａがクランパ１２と共にディスク０の内縁近傍０ａを挟んで固定し、かつ大ターンテーブル部１１ｂがディスク０の外縁に接する。
【００３１】
図７に示すように、ディスク０の外縁側が光ビームの照射する面の方向（いわゆるレーベル面と逆の方向）に向かって反っている場合（同図（ａ））、同図（ｂ）のようにディスク０はその外周部０ｂがターンテーブル１１の大ターンテーブル部１１ｂに当設した後に、クランパ１２がディスク０を押圧して中央ターンテーブル１１ａに挟んで固定する。この狭持により反っているディスク０の外縁部０ｂは、元の反りの逆の方向に押圧されるので、反りは直される。通常、同図（ｃ）のように、ディスクの中径部（すなわち、内縁部近傍０ａと外縁部近傍０ｂに挟まれた部分）０ｃが元の反りの傾きのまま若干反りが残るが、仮に押圧によって図７（ｃ）と逆に反り返ってもその中径部０ｃに対向する部分はターンテーブル１１のスポーク１１ｃであるので、ディスク０がターンテーブル１１のスポーク１１ｃに接することはない。
【００３２】
また、スポーク１１ｃによって、光ビームがディスク０に照射されず、その光学情報が検出できない場合があるが、ＣＤ、ＤＶＤ等の再生の場合であれば、ディスクの情報をピックアップが検出した後その光学情報を映像・音声情報あるいはデジタル情報に復調する際、誤り訂正機能が働き、部分的な光学情報の欠損に対しては補正されることは周知の事項である。
【００３３】
また、大ターンテーブル１１ｂの内周部分はディスク０の情報記録部分最外周より外側になるよう構成されているので、全周に構成された大ターンテーブル１１ｂにより読みとり情報が欠損することがなく、特にＤＶＤディスクの最外周トラックに記録されている重要なリードアウト情報（周知のように索引情報のようなもので最内周にも記録されている。同様に重要な情報である、ＣＤ最内周トラックに記録されたＴＯＣ情報のようなもの）を覆い隠すこともない。
【００３４】
このようにディスク０の反りが光ビーム照射面方向に生じている場合でも、大ターンテーブル部１１ｂを有するターンテーブル１１によりその反りが小さくでき、ピックアップ３の光ビームとディスク面との角度が上述した規制値内に入り、チルト機能のないピックアップでも精度のよい記録・再生を行うことができる。
【００３５】
以上のように本実施の形態によれば、光ビーム照射面にそったディスクであっても、ディスク外周を押圧して反りを矯正する大ターンテーブルを設けることで、反りを規制値内に押さえ込んで面振れを少なくでき、安定した読み取りが可能とすることができる。
【００３６】
次に、上述した本実施の形態を応用した円盤状記録媒体駆動装置のさらに別の実施の形態を、図８に示すブロック構成図を用いて説明する。図８において、ターンテーブル１１、クランパ１２、ピックアップ１３は図６を参照して説明した実施の形態のものと同様なもので、ターンテーブル１１、クランパ１２でディスク０を狭持し、ピックアップ１３から光ビームＬが照射される。１４はピックアップ１３を制御するピック制御手段で、ピックアップのトラック方向移動（いわゆるトラックジャンプ）、トラッキング、フォーカス制御を行うものである。１５はピック読み取り手段で、ピックアップ１３によって検出されたディスク０の光学情報を復調するものである。１６はターンテーブル回転手段で、後述する制御手段１８の指令に基づいてターンテーブル１１を回すことで狭持したディスク０を回転させるものである。１７は押圧手段で、クランパ１２を回動自在に保持しクランパ１２をターンテーブル１１に押圧するものである。１８は制御手段で、ピック制御手段１４、ターンテーブル回転手段１６を制御するもので、特にターンテーブル回転手段１６から出力される回転位置信号によりピック制御手段１４の位置制御、特にフォーカス制御を一時的に停止し状態を保持させるように指令し、またピック読み取り手段１５の動作を一時的に休止させるものである。
【００３７】
このように構成された円盤状記録媒体駆動装置の本実施の形態について以下その動作を説明する。図８において、ターンテーブル１１の回転によってディスク０が回転されるが、ターンテーブル１１のスポーク１１ｃが光ビームＬを遮断し、その度に、ピックアップ１３のフォーカス制御が乱されてしまう。しかし、ターンテーブル１１を回転させるターンテーブル回転手段１６から出力されるターンテーブルの回転位置を表す回転位置信号からスポーク１１ｃの回転位相が判るので、制御手段８は、このスポーク１１ｃの回転位相をもとにスポーク１１ｃが光ビームＬを横切る前後の間、ピック制御手段１４に、フォーカス制御を解除し、かつその直前のフォーカス位置を保持させるよう指令する。また、ピック読み取り手段１５に、スポーク１１ｃが光ビームＬを横切る間のピックアップ出力を無視するよう制御する。
【００３８】
以上のように、本実施の形態によれば、光ビーム照射面側に反ったディスクでっても、その反りを大ターンテーブルで矯正させ、かつ大ターンテーブルを支持しているスポークによる光ビーム遮断も、ターンテーブルの回転位相が検出することで、安定したフォーカス制御ができるという効果を有する。
【００３９】
なお、以上の説明では、図１を参照して説明した実施の形態でレーベル面方向に反ったディスクを対策する大クランパ２ｂを有するクランパ２、図６を参照して説明した実施の形態で光ビーム照射面方向に反ったディスクを対策する大ターンテーブル１１ｂを有するターンテーブル１１を各々詳述したが、両方を組み合わせてもよいことはいうまでもない。その場合、大ターンテーブル、大クランパ両方共がが各々中央ターンテーブル、中央ターンテーブルより突出して構成されても、両突出量はターンテーブルのスポークがたわんで吸収されるので、中央ターンテーブル、中央クランパによるディスクの狭持がゆるくなることがない。同じく、図４を参照して説明した実施の形態と、図８を参照して説明した実施の形態とを組み合わせてもよいことはいうまでもない。
【００４０】
また、両実施の形態とも、光ビーム照射面をターンテーブルに載置しターンテーブルのある方向から光ビームが照射されるものを示したが、逆に光ビーム照射される面の逆面（いわゆるレーベル面）をターンテーブルに載置してその上からクランパで狭持し、クランパのある方向から光ビームが照射されるものであっても、上述した実施の形態を逆の構成にして、クランパが中央クランパ、大クランパと大クランパを支持するスポークを備える構成にすれば、同様の効果が得られる。さらに、両面再生のＤＶＤのように、両面から光ビームが照射されるようなディスクに対応して、ディスクを載置し回転するターンテーブルもディスクを狭持するクランパもそれぞれスポークによって各々の大ターンテーブル部、大クランパを支持するような形態にすれば、両面ディスクを反転させずとも、両面から光ビームを照射し再生することができることはいうまでもない。
【００４１】
また、両実施の形態のものとも、ディスクの外周を全周にわたって押圧し反りを減らすので、ディスク面が１つの部分のみ反っているもののみならず、外周が波立ったようなディスクに対しても効果があることはいうまでもない。
【００４２】
さらに、周知のように、ＣＤのようにディスクとして直径１２ｃｍのもの（１２ｃｍＣＤと略す）と直径８ｃｍのもの（８ｃｍＣＤと略す）との両方が同じ装置で駆動（すなわち再生）できるものがあるが、１２ｃｍＣＤに対応させた本実施の形態によれば、８ｃｍＣＤが小径である分反りの影響が少なく通常の駆動ができることに加え、仮に８ｃｍＣＤを載置してもその外周部がクランパ２の凹部２ｃ及びターンテーブル１１のスポーク１１ｃに対向するので、何ら支障なく駆動することができ、同じ装置で両ディスクの駆動ができる。
【００４３】
また、ディスクと当接するクランパ、ターンテーブルにフェルトやゴムのような柔軟部材を備えてもよいことはいうまでもない。特に、スピーカ付きの円盤状記録媒体駆動装置、すなわちいわゆるＣＤラジカセ様の形態のものには、クランパあるいはターンテーブルをディスクの直径にまで大きくしたことで、スピーカからの空気振動によるディスクへの影響が少なくなり、かつその共振周波数をより低周波化でき、より大きい空気振動をも許容できるようになるので、大出力なスピーカを備えることもできる。
【００４４】
なお、実施の形態の中でクランパ、ターンテーブル共にその材料を説明していないが、合成樹脂、あるいはアルミニウム、ＢｓＢＭ、Ｓｕｓ等の金属で構成される。特にディスク上部のクランパを金属で構成することで、ディスクを挟んで下部にあるピックアップやピックアップを径方向に移動させるトラバースメカニズムによるスイッチングノイズの不要輻射を押さえることもできる。又、ターンテーブルのスポークは、図６を参照して説明した実施の形態の図示では３本のものを示したが、必ずしもこれに限るものでなく、４本、５本でもそれによって覆われるディスク面積が上述のように問題なければ何ら差し支えない。もちろん、スポークは略等角度で構成されねば、高速回転による振動等を生じてしまうことはいうまでもない。
【００４５】
また、ターンテーブルは、周知のように直接駆動（ダイレクトドライブ）型のブラシレスモータで回転させることが多いが、必ずしもこれに限るものではなく、ベルト、タイミングベルト、ギヤ等の駆動力伝達機構を介したものでもかまわないし、通常のブラシ付き直流モータで回転させてもかまわない。
【産業上の利用可能性】
【００４６】
本発明の円盤状記録媒体駆動装置は、回転軸方向に反りがある円盤状記録媒体に適用することができる。
【図面の簡単な説明】
【００４７】
【図１】本発明の円盤状記録媒体駆動装置の一実施の形態における構成概略図
【図２】同、動作説明のための概略側・断面図
【図３】同、ディスクの反りの矯正結果説明図
【図４】本発明の円盤状記録媒体駆動装置の他の実施の形態における構成ブロック図
【図５】同、動作説明のためのフローチャート
【図６】本発明の円盤状記録媒体駆動装置の別の実施の形態における斜視構成概略図
【図７】同、動作説明のための概略側・断面図
【図８】本発明の円盤状記録媒体駆動装置のさらに別の実施の形態における構成ブロック図
【図９】従来の円盤状記録媒体駆動装置の構成概略図
【図１０】同、反りのあるディスクを載置した概略平面図
【符号の説明】
【００４８】
０  ディスク
１、１１  ターンテーブル
１１ａ  中央ターンテーブル部
１１ｂ  大ターンテーブル部
１１ｃ  スポーク
２、１２  クランパ
２ａ  中央クランパ
２ｂ  大クランパ
２ｃ  凹部
３  ピックアップ
４、１４  ピック制御手段
５、１５  ピック読み取り手段
６、１６  ターンテーブル回転手段
７、１７  押圧手段
８、１８  制御手段
【図１】
2004303411.tif 000003
【図２】
2004303411.tif 000004
【図３】
2004303411.tif 000005
【図４】
2004303411.tif 000006
【図５】
2004303411.tif 000007
【図６】
2004303411.tif 000008
【図７】
2004303411.tif 000009
【図８】
2004303411.tif 000010
【図９】
2004303411.tif 000011
【図１０】
2004303411.tif 000012